(57)【要約】【課題】使い勝手が良好な車両の電動ドア開閉制御装置の提供を目的とする。【解決手段】アクチュエータ１により開閉駆動される電動ドア２を備える車両に設置される動作指示部３と、  前記動作指示部３から入力された動作指示を実行開始条件付きの予約動作指示として登録し、実行開始条件の充足により予約動作指示を実行するドア駆動制御部４とを有する。【選択図】  図３
2015132130.tif 000002
【特許請求の範囲】
【請求項１】
アクチュエータにより開閉駆動される電動ドアを備える車両に設置される動作指示部と、
前記動作指示部から入力された動作指示を実行開始条件付きの予約動作指示として登録し、実行開始条件の充足により予約動作指示を実行するドア駆動制御部とを有する車両の電動ドア開閉制御装置。
【請求項２】
前記電動ドアへの開閉操作権限を認証するために利用者が所持する携帯器に応答要求信号を出力し、携帯器からの応答信号に対する認証の可否を判定する認証装置を有し、
前記ドア駆動制御部は、前記認証装置からの応答要求信号に応答した前記携帯器からの応答信号に対する認証成立を条件に予約動作指示の登録動作を行うとともに、
前記携帯器からの応答信号に対する認証不成立への遷移を予約動作指示の実行開始条件とする請求項１記載の車両の電動ドア開閉制御装置。
【請求項３】
前記動作指示部には前記実行開始条件の充足を条件とすることなくドア駆動制御部において実行開始される非予約動作指示の入力が可能である請求項１または２記載の車両の電動ドア開閉制御装置。
【請求項４】
前記動作指示部は車外に向けて検出光を投光する反射型光センサにより形成され、検出光を遮ることによる反射光パターンにより予約動作指示と非予約動作指示とが識別される請求項３記載の車両の電動ドア開閉制御装置。
【請求項５】
前記予約動作指示は、開扉状態において入力されて閉扉動作を制御する請求項１から４のいずれかに記載の車両の電動ドア開閉制御装置。
【請求項６】
前記ドア駆動制御部は、閉扉動作中における車両に搭載された認証装置からの応答要求信号に応答した前記携帯器からの応答信号に対する認証成立により駆動を停止する請求項５記載の車両の電動ドア開閉制御装置。
【発明の詳細な説明】
【技術分野】
【０００１】
本発明は車両の電動ドア開閉制御装置に関するものである。
【背景技術】
【０００２】
車両のドア開閉を制御するドア開閉制御装置としては、特許文献１に記載のものが知られている。この従来例において、車両のドアの開閉操作権限を認証するための携帯器には登録記憶部が設けられる。登録記憶部には、携帯器に配置されたスイッチを操作することによりドアの開閉操作を記憶させることが可能であり、記憶させた状態の携帯器が車両に接近すると、記憶内容に従った開閉動作が自動実行される。
【先行技術文献】
【特許文献】
【０００３】
【特許文献１】特開２００９-２０９６５９号公報
【発明の概要】
【発明が解決しようとする課題】
【０００４】
しかし、上述した従来例において、登録記憶部への登録には携帯器への操作を要するために、使い勝手が悪いという問題がある。とりわけ、バン等の荷物積載用の車両にあっては、荷積み等の作業により手が塞がっていることが多いために、携帯器への操作を必要とする従来例は、荷積み等の作業性の低下をもたらすという欠点がある。
【０００５】
本発明は、以上の欠点を解消すべくなされたものであって、使い勝手が良好な車両の電動ドア開閉制御装置の提供を目的とする。
【課題を解決するための手段】
【０００６】
本発明によれば上記目的は、
アクチュエータ１により開閉駆動される電動ドア２を備える車両に設置される動作指示部３と、
前記動作指示部３から入力された動作指示を実行開始条件付きの予約動作指示として登録し、実行開始条件の充足により予約動作指示を実行するドア駆動制御部４とを有する車両の電動ドア開閉制御装置を提供することにより達成される。
【０００７】
本発明において、車両に設置される動作指示部３に入力することにより実行開始に条件を付けた予約動作指示を登録することができる。車両に配置された動作指示部３への操作により予約動作を指示することができる本発明において、携帯器５への操作を要しないために携帯器５を取り出す必要がなく、使い勝手が向上する。
【０００８】
また、車両の電動ドア開閉制御装置は、請求項２に記載のように、
前記電動ドア２への開閉操作権限を認証するために利用者が所持する携帯器５に応答要求信号を出力し、携帯器５からの応答信号に対する認証の可否を判定する認証装置６を有し、
前記ドア駆動制御部４は、前記認証装置６からの応答要求信号に応答した前記携帯器５からの応答信号に対する認証成立を条件に予約動作指示の登録動作を行うとともに、
前記携帯器５からの応答信号に対する認証不成立への遷移を予約動作指示の実行開始条件とするように構成することができる。
【０００９】
動作指示部３への入力の権限の認証には適宜の認証手段を利用することができるが、電動ドア２への操作権限を認証するための携帯器５に対する認証を利用すると特別な認証手段を別途用意する必要がなくなる上に、認証装置６から応答要求信号を出力し、当該応答要求信号に対して携帯器５から自動的に出力される応答信号を認証装置６において認証するパッシブ認証動作を利用すると、利用者が携帯器５を操作する必要がないために、使い勝手が向上する。
【００１０】
さらに、上述したパッシブ認証においては、携帯器５との交信可能距離は長くても数メートル程度であり、認証不成立への遷移の検出をすることにより、利用者が携帯器５と車両との交信不能な距離まで移動したことを知ることができる。
【００１１】
一方、上記パッシブ認証可能な交信距離は、車両周りでの荷積み、荷降ろし等の作業エリア、あるいは車両周りでの立ち話等のエリアとほぼ一致するために、パッシブ認証時の認証不成立を条件とすることにより、上記作業中等が終了したときに始めて開閉操作が行われるために、使い勝手が向上し、かつ、その範囲は電動ドア２の動作を目視可能な範囲であるために、開閉操作の完了も確かめることができ、安心感も与えられる。
【００１２】
また、車両の電動ドア開閉制御装置は、請求項３に記載のように、
前記動作指示部３には前記実行開始条件の充足を条件とすることなくドア駆動制御部４において実行開始される非予約動作指示の入力が可能に構成することができる。
【００１３】
この場合、動作指示部３に、例えば、予約動作指示用のボタンスイッチ等と、非予約動作指示用の光センサを配置することも可能であるが、
請求項４に記載のように、
前記動作指示部３は車外に向けて検出光を投光する反射型光センサにより形成され、検出光を遮ることによる反射光パターンにより予約動作指示と非予約動作指示とが識別される車両の電動ドア開閉制御装置を構成することができる。
【００１４】
本発明において、動作指示部３への入力は、光センサの投光部に手、あるいは荷物を翳すことにより行われ、翳す時間を変えることによる信号長パターン、あるいは所定時間内の翳し操作と翳し解消操作とのオン・オフパターン等により予約動作指示と非予約動作指示とが峻別される。
【００１５】
したがって本発明によれば、車体外部への露出部を可及的に少なくすることができる上に、手に荷物を持った状態でも動作指示を入力することができるために、使い勝手も向上する。
【００１６】
車両の電動ドア開閉制御装置は、電動ドア２の開閉操作双方に対する予約動作指示を可能にすることができるが、開扉状態から閉扉状態への移行動作に条件を付することにより、車両への荷積み、荷降ろし作業中の電動バックドアの閉扉動作を制御することが可能になり、荷積み等の作業性を高めることが可能になる。
【００１７】
この場合、
前記ドア駆動制御部４は、閉扉動作中における車両に搭載された認証装置６からの応答要求信号に対する前記携帯器５からの応答信号に対する認証成立により駆動を停止するように構成すると、忘れ物を取る等、閉扉動作中に作業者が近付くと自動的に閉扉動作が中断されるために、電動ドア２との干渉を防止することが可能になる。
【発明の効果】
【００１８】
本発明によれば、携帯器を取り出すことなく予約操作の登録が可能なために、使い勝手を良好にすることができる。
【図面の簡単な説明】
【００１９】
【図１】本発明の機能ブロック図である。
【図２】本発明の動作を示すフローチャートである。
【図３】本発明の動作を示す説明図で、（ａ）は動作指示部に手を翳した状態を示す図、（ｂ）は荷積み、荷降ろし作業を示す図、（ｃ）は閉扉動作が開始した状態を示す図である。
【発明を実施するための形態】
【００２０】
図１に示すように、電動ドア開閉制御装置（Ａ）は、中央制御部７により制御される認証装置６、動作指示部３、およびドア駆動制御部４を有する。
【００２１】
認証装置６は携帯器５と交信して携帯器５の所持者９の電動ドア２への開閉操作権限を認証するもので、携帯器５に配置される操作ボタン（図示せず）を操作する所謂アクティブ認証動作により操作携帯器５から送信される認証用信号は受信部６ａにおいて受信された後、認証部６ｂにおいて予め登録された認証信号との一致が判定され、一致する場合には、認証成立信号を中央制御部７に出力する。
【００２２】
また、携帯器５には、認証装置６から出力された応答要求信号を受信した際に認証用信号を含む応答信号を出力する所謂パッシブ認証動作に対応しており、認証装置６には、所定タイミングで応答要求信号を出力するリクエスト信号送信部６ｃが設けられる。このリクエスト信号送信部６ｃからの応答要求信号に応答して携帯器５から送信される応答信号は受信部６ａにおいて受信された後、認証用信号を抽出し、認証部６ｂにおいて認証動作が行われ、アクティブ認証動作と同様に、認証成立時には、認証成立信号を中央制御部７に出力する。
【００２３】
認証装置６からの応答要求信号の出力タイミングは中央制御部７により制御されており、中央制御部７は後述する動作指示部３からの障害物検出信号を受領すると、所定間隔でリクエスト信号送信部６ｃから応答要求信号を送信する。
【００２４】
本例において動作指示部３は赤外線パルスを検出光とする反射型光センサにより形成され、検出光を照射する発光部３ａと、検出光の障害物による反射光を受光する受光部３ｂと、受光部３ｂにおける光量により障害物の存在を判定する判定部３ｃとを有する。この動作指示部３は、検出光が車両８の外部に向けて照射されるように、車両８のバックドア（電動ドア２）に固定され、発光部３ａに所持者９の手９ａ、あるいは荷物１０等の障害物を翳すことにより所定の動作指示を入力することができる。
【００２５】
動作指示部３におけるセンシングの開始、終了は、上記中央制御部７により制御されており、中央制御部７は、車両８、またはバックドア２に設けられたドア開閉検出センサ１１を介してドア開状態を検出するとセンシング開始信号を出力し、操作指示の確定によりセンシング終了信号を出力する。
【００２６】
判定部３ｃは、障害物を検出すると、タイマー部３ｄを起動して障害物検出時間を計測し、障害物検出時間が所定の最低時間より長く、かつ、最大設定時間より短い場合時間には予約指示成立信号を、上記最低時間より短い場合には、非予約指示成立信号を中央制御装置に出力する。
【００２７】
なお、本例で、判定部３ｃは障害物検出時間によって予約指示と非予約指示を識別する場合を示したが、識別方法は、検出時間以外に、例えば、遮断状態と非遮断状態のモールス信号状パターンによる等、適宜方法を取ることができる。
【００２８】
また、本例で、判定部は予約指示と非予約指示の２種類を識別する場合を示したが、２種類以上の信号を識別可能に形成し、異なった予約内容を予約指示に含めることもできる。
【００２９】
さらに、本例は動作指示部３に反射型光センサを使用する場合を示したが、機械式押しボタンスイッチ、数字等を配列したボタンマトリクス等を使用することが可能であり、この場合の予約指示と非予約指示との識別は、押し込み時間の違い、あるいは長押しと短押しの組み合わせ等を使用することができる。
【００３０】
ドア駆動制御部４は、予約動作指示格納部４ａ、条件監視部４ｂ、ドライブ信号生成部４ｃ、およびブザー４ｄを有する。予約動作指示格納部４ａは、中央制御部７が動作指示部３から予約指示成立信号を受領した際に動作指示部３により選択された予約動作を格納する。予約動作が１種類の本例においては、予約動作指示格納部４ａは、予約指示成立時に予約ありフラグをセットし、非予約指示成立時にリセットするように構成されるが、予約動作が複数種設定される場合、予約種が格納される。
【００３１】
条件監視部４ｂは、上記予約動作指示格納部４ａ内に予約動作が格納されている際に予約した動作の開始条件の充足を監視し、本例においては、携帯器５が認証装置６との交信範囲から離脱したことを予約動作の開始条件とする。
【００３２】
したがって、条件監視部４ｂは、予約ありフラグがセットされると認証部６ｂの出力を監視し、認証部６ｂからの出力が認証成立信号から認証不成立信号に変わったときに条件成立と判定する。条件監視部４ｂが条件成立を判定すると、ドア駆動制御部４のドライブ信号生成部４ｃはバックドア２のアクチュエータ１に対して閉扉方向駆動信号を出力し、バックドア２が閉駆動される。
【００３３】
また、条件監視部４ｂは、バックドア２の閉駆動が開始された後も、引き続き認証部６ｂからの出力を監視し、認証部６ｂが再び認証成立信号を出力したことを検出すると、ドライブ信号生成部４ｃにアクチュエータ駆動停止信号をセットし、閉扉動作を停止させる。
【００３４】
さらに、ドア駆動制御部４はバックドア２を駆動する際には、周囲の人に扉の作動を知らせて安全を確保するためにブザー４ｄを吹鳴させる。
【００３５】
図２、３に電動ドア開閉制御装置（Ａ）の動作を示す。本例は、携帯器５の認証部６ｂにおける認証成立を条件に車両のバックドア２を開状態に移動させた状態から閉状態への駆動を予約するように構成されており、電動ドア開閉制御装置（Ａ）が起動されると、まず、中央制御部７は開閉検出センサ１１の出力を確認してバックドアの開閉状態を検出する（ステップＳ１）。ステップＳ１においてドア開状態が検出されると動作指示部３から検出光を照射して障害物検出を開始する（ステップＳ２）。ステップＳ２において障害物の検出、すなわち、図３（ａ）に示すように、利用者９が動作指示部３の発光部３ａに手９ａを翳し、動作指示部３の受光部３ｂにおける受光量が増加して障害物を検出すると（ステップＳ３）、タイマー部３ｄにより障害物による遮断時間を計測する（ステップＳ４）。
【００３６】
ステップＳ４において遮断時間、すなわち翳し時間が予め定められた最長限度時間（Ｔ１）より長かった場合、動作指示部３が何らかの原因により閉塞される等の不具合が発生している可能性があるために、再度翳し操作を求める。このとき、図示しないが、翳し操作を促すためのブザー吹鳴等のステップを加えることができる。
【００３７】
ステップＳ４において翳し時間が最長限度時間（Ｔ１）より短かい場合、入力された操作指示が権限を有する利用者９によりなされたものであるか否かを判定するために、パッシブ認証動作を行い（ステップＳ５）、携帯器５に対する認証が成立しなかった場合（ステップＳ６）には、正当権限者による操作でないものとして再度入力を求める。
【００３８】
これに対し、ステップＳ６において携帯器５に対する認証が成立すると、動作指示部３からの入力値を正当権限者による入力値として受け入れ、動作指示部３を停止させ（ステップＳ７）、次いで、検出時間がしきい時間（Ｔ２）を超えているか否か、すなわち、動作指示部３からの入力値が予約操作指示か否か（操作指示種）を判定する（ステップＳ８）。
【００３９】
遮断時間により操作指示種を判別する本例において、検出時間がしきい時間（Ｔ２）を超えない場合、動作指示部３の判定部３ｃは非予約指示成立信号を駆動制御部４に出力し、駆動制御部４は、クローズ開始を知らせるためにブザーを吹鳴させ（ステップＳ９）、さらにアクチュエータ１を駆動して閉扉動作を開始する（ステップＳ１０）。閉扉動作中中央制御部７はドア開閉検出センサ１１を監視しており、該ドア開閉検出センサ１１が閉扉完了を検出すると（ステップＳ１１）、閉扉動作終了を知らせるためのブザーを吹鳴させた後（ステップＳ１２）、制御が終了する。
【００４０】
一方、ステップＳ８において動作指示部３への遮蔽時間がしきい時間（Ｔ２）を超えた場合、動作指示部３の判定部３ｃは予約指示成立信号を駆動制御部４に出力する。予約指示成立信号を検出した駆動制御部４は、予約ありフラグ（予約動作指示格納部４ａ）をセットし、以後、条件監視部４ｂによる条件成立監視が開始される。
【００４１】
条件成立は、認証装置６におけるパッシブ認証動作により行われる（ステップＳ８１、Ｓ８２）。ステップＳ８１、Ｓ８２は携帯器５からの応答信号に対する認証が成立しなくなるまで、すなわち、図３（ｃ）に示すように、携帯器５、すなわち、バックドア２に予約指示を与えた作業者９が認証装置６との交信可能範囲（Ｒ）から離脱するまで続行され、その間、バックドアは開放状態が維持されるために、図３（ｂ）に示すように、車両の周りで荷積み、荷降ろし作業を行うことが可能になる。
【００４２】
これに対し、ステップＳ８２において携帯器５に対する認証が成立しなくなった場合、すなわち、荷積み等が終了して作業者が図３（ｃ）に示すように認証装置６との交信可能領域から離脱すると、ドア駆動制御部４の条件監視部４ｂにより条件成立が判定され、まず、閉扉動作を知らせるためにブザー４ｄを吹鳴させた後（ステップＳ８３）、アクチュエータ１を駆動して閉扉動作を開始する（ステップＳ８４）。
【００４３】
ステップＳ８４が開始すると、携帯器５が交信可能範囲（Ｒ）内にあるか否かを判定するために、再び認証装置６から応答要求信号を出力してパッシブ認証動作を開始する（ステップＳ８５、Ｓ８６）。ステップＳ８６で認証が成立すると、車両近くに作業者がいると判断し、再開された荷積み、あるいは荷降ろしの邪魔にならないために、あるいは閉扉動作中のバックドアに作業者が巻き込まれるのを防止するために、バックドアの駆動を一旦停止し（ステップＳ８６１）、ブザーを停止する（ステップＳ８６２）。
【００４４】
なお、本例は、ステップＳ８６において携帯器５に対する認証が成立した場合、単に閉扉動作の停止をする場合を示しているが、携帯器５に対する認証成立により開扉動作を開始するように構成して荷積み等の作業性を向上させることもできる。
【００４５】
一方、ステップＳ８６において携帯器５に対する認証が成立しなかった場合には、閉扉動作中であるか、あるいはステップにより閉扉動作停止中であるかを判定し（ステップＳ８７）、閉扉動作停止中の場合には、改めてブザーを吹鳴させた後（ステップＳ８８）、アクチュエータ１を駆動して閉扉動作を再開する（ステップＳ８９）。
【００４６】
閉扉動作停止動作は、ドア開閉検出センサにより閉扉完了が判定されるまで続行され、閉扉完了が確認されると（ステップＳ９０）、動作指示部３を停止させて制御が終了する。
【符号の説明】
【００４７】
１        アクチュエータ
２        電動ドア
３        動作指示部
４        ドア駆動制御部
５        携帯器
６        認証装置
【図１】
2015132130.tif 000003
【図２】
2015132130.tif 000004
【図３】
2015132130.tif 000005